(57)【特許請求の範囲】
【請求項１】
ＩＥＥＥ１３９４シリアルバスの通信機能の動作をチェックするシリアルバス・テスタにおいて、
前記ＩＥＥＥ１３９４シリアルバスに接続された機器の識別子を読み出し、予め登録された識別子の機種を識別すると共に識別子の特定部分の値が特定の値に一致するか否かを判断して検査対象機器とその他の機器とを識別する
ことを特徴とするシリアルバス・テスタ。
【請求項２】
ＩＥＥＥ１３９４シリアルバスの通信機能の動作をチェックするシリアルバス・テスタにおいて、
前記ＩＥＥＥ１３９４シリアルバスに接続されている全ての機器の識別子を読み出し、
前記識別子が予め登録されている識別子若しくは識別子の特定部分の値に一致するか否かを識別し、
シリアルバス・テスタの識別子と一致すれば当該機器をシリアルバス・テスタと識別し、
基準機器の識別子と一致すれば当該機器を基準機器と識別し、
識別子の特定部分が検査対象機器の識別子の特定部分の値と一致すれば当該機器を検査対象機器と識別しその他の場合は当該機器をその他の機器と識別する
ことを特徴とするシリアルバス・テスタ。
【請求項３】
ＩＥＥＥ１３９４シリアルバスの通信機能の動作をチェックするシリアルバス・テスタにおいて、
前記ＩＥＥＥ１３９４シリアルバスに接続された機器の前記識別子を読み出す読出手段と、
送信手段と、
前記識別子に基づき予め登録された識別子の機種を識別すると共に識別子の特定部分の値が特定の値に一致するか否かにより検査対象機器とその他の機器とを識別し、前記送信手段を制御して識別した前記検査対象機器にコマンドを送信するする制御手段と
を備えたことを特徴とするシリアルバス・テスタ。
【請求項４】
ＩＥＥＥ１３９４シリアルバスの通信機能の動作をチェックするシリアルバス・テスタにおいて、
前記ＩＥＥＥ１３９４シリアルバスに接続された機器の前記識別子を読み出す読出手段と、
送信手段と、
前記読出手段を介して前記ＩＥＥＥ１３９４シリアルバスに接続されている全ての機器の識別子を読み出し、前記識別子が予め登録されている識別子若しくは識別子の特定部分の値に一致するか否かを判断し、シリアルバス・テスタの識別子と一致すれば当該機器をシリアルバス・テスタと識別し、基準機器の識別子と一致すれば当該機器を基準機器と識別し、識別子の特定部分が検査対象機器の識別子の特定部分の値と一致すれば当該機器を検査対象機器と識別し、その他の場合は当該機器をその他の機器と識別する制御手段と
を備えたことを特徴とするシリアルバス・テスタ。
【請求項５】
前記制御手段が、
前記送信手段を制御して識別した前記基準機器に対して音声信号を出力させるコマンドを送信し、
識別した前記検査対象機器に対して音声信号を録音させるコマンドを送信し、
録音終了後に前記検査対象機器で録音された音声信号を再生させて正常動作か否かの判断を行うことを特徴とする
請求項３若しくは請求項４記載のシリアルバス・テスタ。
【請求項６】
前記検査対象機器が複数台であることを特徴とする
請求項１及び請求項３記載のシリアルバス・テスタ。
【請求項７】
複数台の前記検査対象機器が同一機種であることを特徴とする
請求項６記載のシリアルバス・テスタ。
【請求項８】
複数台の前記検査対象機器が異機種であることを特徴とする
請求項６記載のシリアルバス・テスタ。
【発明の詳細な説明】
【０００１】
【発明の属する技術分野】
本発明は、シリアルバス・テスタに関し、特に検査対象機器以外をＩＥＥＥ１３９４シリアルバスに接続することが可能なシリアルバス・テスタに関する。
【０００２】
【従来の技術】
動画像、静止画像、音声及び文字等のマルチメディア情報をコンピュータ、周辺機器及びデジタルビデオカメラ等の一般向けのＡＶ機器との間で高速に通信するための新しい通信プロトコルがＩＥＥＥ（Institute of Electrical and Electronics Engineers）で国際標準化されつつある。
【０００３】
前記通信プロトコルはＩＥＥＥ１３９４シリアルバス（以下、単に１３９４シリアルバスと呼ぶ。）により通信が行われ、１３９４シリアルバスに新たにノードを接続したり、１３９４シリアルバスからノードを切り離したり自由にトポロジーを変更することが可能である。
【０００４】
また、このような１３９４シリアルバスのインターフェースを備えた機器を製造する生産ラインでは１３９４シリアルバスの通信機能の動作をチェックする必要性があり、シリアルバス・テスタが用いられる。
【０００５】
図５はこのような従来のシリアルバス・テスタの使用状況を説明する構成ブロック図である。図５において１はシリアルバス・テスタ（以下、単にテスタと呼ぶ。）、２は１３９４シリアルバスのインターフェースを備えたＡＶ機器等の検査対象機器、３は基準機器である。
【０００６】
テスタ１は１３９４シリアルバスにより検査対象機器２に接続され、検査対象機器２は１３９４シリアルバスにより基準機器３に接続される。
【０００７】
ここで、図５に示す従来例の動作を図６及び図７を用いて説明する。図６及び図７はテスタ１の動作を説明するフロー図であり、図６では識別子であるＧＵＩＤ（Global Unique ID）の読み出しを行い、図７では検査対象機器２や基準機器３へのコマンド送信等を行う。また、ＧＵＩＤとは１３９４シリアルバス・インターフェースを有する機器がそれぞれ固有に持っている６４ビットの識別子である。
【０００８】
図６中”Ｓ００１”においてテスタ１は１３９４シリアルバスに接続されている全ての機器のＧＵＩＤを読み出す。図６中”Ｓ００２”においてテスタ１は１３９４シリアルバスに接続されている全機器数を”Ｎ”とし、併せて”ｉ＝０”とする。
【０００９】
図６中”Ｓ００３”においてテスタ１は先に読み出したＧＵＩＤから”ｉ番目”の機器のＧＵＩＤを取り出し、図６中”Ｓ００４”においてそのＧＵＩＤが予め登録されているＧＵＩＤと一致するか否かを判断する。
【００１０】
もし、図６中”Ｓ００４”において”ｉ番目”のＧＵＩＤが予め登録されているＧＵＩＤと一致すれば図６中”Ｓ００５”においてテスタ１は”ｉ番目”の機器を基準機器３と識別する。一方、ＧＵＩＤが一致しなければ図６中”Ｓ００６”においてテスタ１は”ｉ＝ｉ＋１”として、図６中”Ｓ００７”において”ｉ＝Ｎ”でなければ図６中”Ｓ００３”の処理に戻る。
【００１１】
例えば、テスタ１のＧＵＩＤを”Ａ”、予め登録されたＧＵＩＤを”Ｂ”、検査対象機器のＧＵＩＤを”Ｘ”とした場合、テスタ１は１３９４シリアルバスに接続された機器のＧＵＩＤを読み出しそのＧＵＩＤが”Ａ”であれば、その機器をテスタ１と識別し、”Ｂ”であればその機器を基準機器３と識別し、”Ａ”及び”Ｂ”以外のＧＵＩＤ、例えば”Ｘ”、であれば検査対象機器と識別する。
【００１２】
さらに、図７中”Ｓ１０１”においてテスタ１は先に識別した基準機器３に対して音声信号を出力させるコマンドを１３９４シリアルバス経由で送信する。このコマンドを受信した基準機器３は１３９４シリアルバス上に音声信号を送信する。
【００１３】
また、図７中”Ｓ１０２”においてテスタ１は先に識別した検査対象機器２に対して音声信号を録音させるコマンドを１３９４シリアルバス経由で送信する。このコマンドを受信した検査対象機器２は１３９４シリアルバス上に送信された音声信号を取り込み録音する。
【００１４】
図７中”Ｓ１０３”においてテスタ１は検査対象機器２での音声信号の録音が終了するまで待機し、録音終了後、図７中”Ｓ１０４”において検査対象機器２で録音された音声信号を再生させる。
【００１５】
そして、図７中”Ｓ１０５”において正常に音声信号の再生ができたか否か、言い換えれば、正常の動作したか否かを判断し、正常動作であれば図７中”Ｓ１０６”において”良”と判断し、正常動作でなければ図７中”Ｓ１０７”で”不良”と判断する。
【００１６】
この結果、テスタ１は予め登録されたテスタ１及び基準機器３のＧＵＩＤ以外のＧＵＩＤを有する機器が１３９４シリアルバスに接続された場合には検査対象機器２と識別して音声信号の録音コマンド等を１３９４シリアルバス経由で送信して検査対象機器の動作チェックを行うことが可能になる。
【００１７】
【発明が解決しようとする課題】
しかし、図５に示すような従来例ではＩＥＥＥ１３９４シリアルバスのバスアナライザ等の検査対象機器ではない検査機器を１３９４シリアルバスに接続した場合にはテスタ１はこの検査機器を検査対象機器と判断してしまい、本来検査対象機器に送信されるはずのコマンドが正しく送信されない場合が発生すると言った問題点がある。
【００１８】
例えば、図８はＩＥＥＥ１３９４シリアルバスのバスアナライザを１３９４シリアルバスに接続した一例を示す構成ブロック図である。図８において１〜３は図５と同一符号を付してあり、４は検査対象機器ではないＩＥＥＥ１３９４シリアルバスのバスアナライザ（以下、単にバスアナライザと呼ぶ。）である。
【００１９】
テスタ１は１３９４シリアルバスにより検査対象機器２に接続され、検査対象機器２は１３９４シリアルバスにより基準機器３に接続される。さらに、バスアナライザ４が１３９４シリアルバスにより基準機器３に接続される。
【００２０】
例えば、テスタ１のＧＵＩＤを”Ａ”、予め登録されたＧＵＩＤを”Ｂ”、検査対象機器のＧＵＩＤを”Ｘ”、バスアナライザ４のＧＵＩＤを”Ｃ”とした場合、テスタ１は１３９４シリアルバスに接続された機器のＧＵＩＤのうちＧＵＩＤが”Ａ”及び”Ｂ”以外の機器を検査対象機器と判断するのでＧＵＩＤが”Ｃ”であるバスアナライザ４も検査対象機器と判断されてしまう。
【００２１】
このため、本来検査対象機器２に送信されるべきコマンドがバスアナライザ４に送信されてしまうと言った場合が発生し得ることになる。
【００２２】
このような状況を回避するために基準機器３と同様に検査対象機器２に対しても予めＧＵＩＤを登録しておくことも考えられる。但し、検査対象機器２は検査が終了した時点で順次他の検査対象機器と取り替えられて行くので個々にＧＵＩＤを登録しておくことは効率が悪化してしまうと言った問題点がある。
【００２３】
また、逆に、バスアナライザ等の検査機器に対して予めＧＵＩＤを登録する場合も考えられる。但し、検査機器は必要に応じて１３９４シリアルバスに接続され常時接続されるとは限らないのでＧＵＩＤを登録すると検査機器が接続されていない場合であっても当該ＧＵＩＤのチェックを行わなければならないと言った問題点があった。
従って本発明が解決しようとする課題は、検査対象機器以外の機器を１３９４シリアルバスに接続することが可能なシリアルバス・テスタを実現することにある。
【００２４】
【課題を解決するための手段】
このような課題を達成するために、本発明のうち請求項１記載の発明は、
ＩＥＥＥ１３９４シリアルバスの通信機能の動作をチェックするシリアルバス・テスタにおいて、
前記ＩＥＥＥ１３９４シリアルバスに接続された機器の識別子を読み出し、予め登録された識別子の機種を識別すると共に識別子の特定部分の値が特定の値に一致するか否かを判断して検査対象機器とその他の機器とを識別することにより、検査対象機器以外を１３９４シリアルバスに接続することが可能になる。
【００２５】
請求項２記載の発明は、
ＩＥＥＥ１３９４シリアルバスの通信機能の動作をチェックするシリアルバス・テスタにおいて、
前記ＩＥＥＥ１３９４シリアルバスに接続されている全ての機器の識別子を読み出し、前記識別子が予め登録されている識別子若しくは識別子の特定部分の値に一致するか否かを識別し、シリアルバス・テスタの識別子と一致すれば当該機器をシリアルバス・テスタと識別し、基準機器の識別子と一致すれば当該機器を基準機器と識別し、識別子の特定部分が検査対象機器の識別子の特定部分の値と一致すれば当該機器を検査対象機器と識別しその他の場合は当該機器をその他の機器と識別することにより、検査対象機器以外を１３９４シリアルバスに接続することが可能になる。
【００２６】
請求項３記載の発明は、
ＩＥＥＥ１３９４シリアルバスの通信機能の動作をチェックするシリアルバス・テスタにおいて、
前記ＩＥＥＥ１３９４シリアルバスに接続された機器の前記識別子を読み出す読出手段と、送信手段と、前記識別子に基づき予め登録された識別子の機種を識別すると共に識別子の特定部分の値が特定の値に一致するか否かにより検査対象機器とその他の機器とを識別し、前記送信手段を制御して識別した前記検査対象機器にコマンドを送信するする制御手段とを備えたことにより、検査対象機器以外を１３９４シリアルバスに接続することが可能になる。
【００２７】
請求項４記載の発明は、
ＩＥＥＥ１３９４シリアルバスの通信機能の動作をチェックするシリアルバス・テスタにおいて、
前記ＩＥＥＥ１３９４シリアルバスに接続された機器の前記識別子を読み出す読出手段と、送信手段と、前記読出手段を介して前記ＩＥＥＥ１３９４シリアルバスに接続されている全ての機器の識別子を読み出し、前記識別子が予め登録されている識別子若しくは識別子の特定部分の値に一致するか否かを判断し、シリアルバス・テスタの識別子と一致すれば当該機器をシリアルバス・テスタと識別し、基準機器の識別子と一致すれば当該機器を基準機器と識別し、識別子の特定部分が検査対象機器の識別子の特定部分の値と一致すれば当該機器を検査対象機器と識別し、その他の場合は当該機器をその他の機器と識別する制御手段とを備えたことにより、検査対象機器以外を１３９４シリアルバスに接続することが可能になる。
【００２８】
請求項５記載の発明は、
請求項３若しくは請求項４記載の発明であるシリアルバス・テスタにおいて、
前記制御手段が、
前記送信手段を制御して識別した前記基準機器に対して音声信号を出力させるコマンドを送信し、識別した前記検査対象機器に対して音声信号を録音させるコマンドを送信し、録音終了後に前記検査対象機器で録音された音声信号を再生させて正常動作か否かの判断を行うことにより、検査対象機器以外を１３９４シリアルバスに接続することが可能になる。
【００２９】
請求項６記載の発明は、
請求項１及び請求項３記載の発明であるシリアルバス・テスタにおいて、
前記検査対象機器が複数台であることにより、複数台の検査対象機器を同時に１３９４シリアルバスに接続して検査をすることが可能になる。
【００３０】
請求項７記載の発明は、
請求項６記載の発明であるシリアルバス・テスタにおいて、
複数台の前記検査対象機器が同一機種であることにより、複数台の検査対象機器を同時に１３９４シリアルバスに接続して検査をすることが可能になる。
【００３１】
請求項８記載の発明は、
請求項６記載の発明であるシリアルバス・テスタにおいて、
複数台の前記検査対象機器が異機種であることにより、異機種の検査対象を同時に１３９４シリアルバスに接続して動作チェックをすることが可能である。
【００３２】
【発明の実施の形態】
以下本発明を図面を用いて詳細に説明する。図１は本発明に係るシリアルバス・テスタの使用状況を説明する構成ブロック図である。図１において１〜３は図５と同一符号を付してあり、５はＩＥＥＥ１３９４シリアルバスのバスアナライザ等の検査対象機器２及び基準機器３以外の１３９４シリアルバスに接続されたその他の機器である。
【００３３】
テスタ１は１３９４シリアルバスにより検査対象機器２に接続され、検査対象機器２は１３９４シリアルバスにより基準機器３に接続される。さらに、機器５が１３９４シリアルバスにより基準機器３に接続される。
【００３４】
ここで、図１に示す実施例の動作を図２を用いて説明する。図２はＧＵＩＤの構造を示す説明図である。図２に示すようにＧＵＩＤは６４ビットの情報から構成され、上位２４ビットである”node_vendor_id”は機器の製造メーカの固有の値が設定されている。従って、同一の製造メーカであれば検査対象機器、基準機器や１３９４バスアナライザであっても上位２４ビット部分は同じになる。
【００３５】
一方、ＧＵＩＤの下位４０ビットである”chip_id_hi”及び”chip_id_lo”は機器毎に変化する一意のＩＤとなる。また、同一の機器ではＧＵＩＤの下位４０ビットの特定部分は共通の値となっている。このため、検査対象機器２におけるＧＵＩＤの特定部分を読み出して特定の値に一致すれば機器の種類を識別することが可能になる。
【００３６】
すなわち、検査対象機器２のＧＵＩＤの内で機器に共通する部分を特定して読み出して、予めＧＵＩＤが分かっているテスタ１及び基準機器３以外のＧＵＩＤであって、且つ、ＧＵＩＤの特定部分が異なるものは検査対象機器２以外であると識別することが可能になる。
【００３７】
例えば、テスタ１のＧＵＩＤを６４ビット表示で”ＡＡＡＡ＿ＡＡＡＡ”、基準機器３のＧＵＩＤを”ＢＢＢＢ＿ＢＢＢＢ”、検査対象機器２のＧＵＩＤを”ＦＦＦＦ＿００００”とし、検査対象機器２の特定部分が上位３２ビットであり、その値が”ＦＦＦＦ”であるとした場合、読み出したＧＵＩＤが下記の（１）〜（３）の条件を満たした場合には検査対象機器以外の機器となる。但し、”＊”は任意の値を示す。
（１）  ＧＵＩＤ≠ＡＡＡＡ＿ＡＡＡＡ
（２）  ＧＵＩＤ≠ＢＢＢＢ＿ＢＢＢＢ
（３）  ＧＵＩＤ≠ＦＦＦＦ＿＊＊＊＊
【００３８】
また、言い換えれば、ＧＵＩＤが上記（１）及び（２）の条件及び下記の条件（４）を満たせばその機器の検査対象機器２となる。
（４）  ＧＵＩＤ＝ＦＦＦＦ＿＊＊＊＊
【００３９】
すなわち、予め登録されたＧＵＩＤ以外であってＧＵＩＤの特定部分の値が特定の値に一致すれば検査対象機器と識別し、一致しない場合はその他の機器と識別することにより、１３９４バスアナライザ等の検査対象機器ではない検査機器を１３９４シリアルバスに接続した場合であってもその他の機器として識別できるのでが正しく送信されない等の問題点を解決することが可能である。
【００４０】
この結果、予め登録されたＧＵＩＤ以外であってＧＵＩＤの特定部分の値が特定の値に一致すれば検査対象機器と識別し、一致しない場合はその他の機器と識別することにより、検査対象機器以外を１３９４シリアルバスに接続することが可能になる。
【００４１】
また、検査対象機器以外の機器を１３９４シリアルバス接続可能にすることにより、検査対象機器２の動作チェック時に１３９４バスアナライザ等で同時に１３９４シリアルバスの状態をモニタすることが可能になり、トラブル時の問題解決が容易になる。
【００４２】
また、検査対象機器２以外のその他の機器を複数台１３９４シリアルバスに接続することにより、検査対象機器が実際に使用される環境に近い状態下で動作チェックを行うことが可能になる。
【００４３】
さらに、図１に示す実施例の動作をより詳細に説明する。図３はテスタ１の詳細を示す構成ブロック図である。図３において６は読出手段、７は制御手段、８は送信手段である。また、６〜８はシリアルバス・テスタ５０を構成している。
【００４４】
１３９４シリアルバスは読出手段６及び送信手段８に接続され、読出手段６の出力が制御手段７に接続され、制御手段７の出力が送信手段８に接続される。
【００４５】
ここで、図３に示すテスタ１の動作を図４を用いて説明する。図４は制御手段７の動作を説明するフロー図である。図４中”Ｓ２０１”において制御手段７は読出手段６を介して１３９４シリアルバスに接続されている全ての機器のＧＵＩＤを読み出す。図４中”Ｓ２０２”においてテスタ１は１３９４シリアルバスに接続されている全機器数を”Ｎ”とし、併せて”ｉ＝０”とする。
【００４６】
図４中”Ｓ２０３”においてテスタ１は先に読み出したＧＵＩＤから”ｉ番目”の機器のＧＵＩＤを取り出し、図４中”Ｓ２０４”においてそのＧＵＩＤが予め登録されているテスタ１のＧＵＩＤと一致するか否かを判断する。
【００４７】
もし、図４中”Ｓ２０４”において”ｉ番目”のＧＵＩＤが予め登録されているテスタ１のＧＵＩＤと一致すれば図４中”Ｓ２０５”においてテスタ１は”ｉ番目”の機器をテスタ１と識別して図４中”Ｓ２１１”の処理に行く。
【００４８】
一方、図４中”Ｓ２０４”においてＧＵＩＤが一致しなければ図４中”Ｓ２０６”においてテスタ１は”ｉ番目”のＧＵＩＤが予め登録されている基準機器３のＧＵＩＤと一致するか否かを判断する。
【００４９】
もし、図４中”Ｓ２０６”において”ｉ番目”のＧＵＩＤが予め登録されている基準機器３のＧＵＩＤと一致すれば図４中”Ｓ２０７”においてテスタ１は”ｉ番目”の機器を基準機器３と識別して図４中”Ｓ２１１”の処理に行く。
【００５０】
さらに、図４中”Ｓ２０６”においてＧＵＩＤが一致しなければ図４中”Ｓ２０８”においてテスタ１は”ｉ番目”のＧＵＩＤの特定部分が検査対象機器２のＧＵＩＤの特定部分の値と一致するか否かを判断する。
【００５１】
もし、図４中”Ｓ２０８”において”ｉ番目”のＧＵＩＤの特定部分が検査対象機器２のＧＵＩＤの特定部分の値と一致すれば図４中”Ｓ２０９”においてテスタ１は”ｉ番目”の機器を検査対象機器２と識別して図４中”Ｓ２１１”の処理に行く。また、図４中”Ｓ２０８”においてＧＵＩＤが一致しなければテスタ１は”ｉ番目”の機器をその他の機器５と識別して図４中”Ｓ２１１”の処理に行く。
【００５２】
図４中”Ｓ２１１”においてテスタ１は”ｉ＝ｉ＋１”として、図４中”Ｓ２１２”において”ｉ＝Ｎ”でなければ図４中”Ｓ２０３”の処理に戻る。
【００５３】
例えば、テスタ１のＧＵＩＤを６４ビット表示で”ＡＡＡＡ＿ＡＡＡＡ”、基準機器３のＧＵＩＤを”ＢＢＢＢ＿ＢＢＢＢ”、検査対象機器２のＧＵＩＤの特定部分の値を”ＦＦＦＦ”とした場合を考える。
【００５４】
テスタ１は１３９４シリアルバスに接続された機器のＧＵＩＤを読み出しそのＧＵＩＤが”ＡＡＡＡ＿ＡＡＡＡ”であればその機器をテスタ１と識別し、”ＢＢＢＢ＿ＢＢＢＢ”であればその機器を基準機器３と識別する。
【００５５】
さらに、読み出したＧＵＩＤのうち特定部分が検査対象機器２のＧＵＩＤの特定部分の値”ＦＦＦＦ”であればその機器を検査対象機器２と識別し、”ＦＦＦＦ”以外であればその機器をその他の機器５と識別する。
【００５６】
さらに、制御手段７は送信手段８を制御して前述の図７に示すようなフローで識別した基準機器３に対して音声信号を出力させるコマンドを１３９４シリアルバス経由で送信すると共に識別した検査対象機器２に対して音声信号を録音させるコマンドを１３９４シリアルバス経由で送信する。
【００５７】
そして、テスタ１は識別した検査対象機器２での音声信号の録音が終了するまで待機した後、正常の動作したか否かの判断を行う。
【００５８】
なお、図１の実施例においては１つの検査対象機器２を１３９４シリアルバスに接続している例を例示したが、勿論、複数個の検査対象機器を同時に１３９４シリアルバスに接続して検査をすることも可能である。この場合、個々の検査対象機器のＧＵＩＤは異なるものの検査対象機器２のＧＵＩＤのうち特定部分の値は一致するので上述のように測定対象機器とその他の機器とを識別することが可能になる。
【００５９】
また、同一の機器の検査対象機器のみならず異機種の検査対象を同時に１３９４シリアルバスに接続して動作チェックをすることが可能である。すなわち、検査対象機種毎にＧＵＩＤの共通部分を特定してその共通値と比較することにより、どの機種の測定対象機器かが識別できるのでその機器に対応したコマンドを１３９４シリアルバスをを介して送信することが可能になる。
【００６０】
【発明の効果】
以上説明したことから明らかなように、本発明によれば次のような効果がある。
請求項１乃至請求項５の発明によれば、予め登録されたＧＵＩＤ以外であってＧＵＩＤの特定部分の値が特定の値に一致すれば検査対象機器と識別し、一致しない場合はその他の機器と識別することにより、検査対象機器以外を１３９４シリアルバスに接続することが可能になる。
【００６１】
また、請求項６及び請求項７の発明によれば、個々の検査対象機器のＧＵＩＤは異なるものの検査対象機器のＧＵＩＤのうち特定部分の値は一致するので測定対象機器とその他の機器とを識別することが可能になり、複数個の検査対象機器を同時に１３９４シリアルバスに接続して検査をすることが可能になる。
【００６２】
また、請求項８の発明によれば、検査対象機種毎にＧＵＩＤの共通部分を特定してその共通値と比較することにより、どの機種の測定対象機器かが識別できるので異機種の検査対象を同時に１３９４シリアルバスに接続して動作チェックをすることが可能である。
【図面の簡単な説明】
【図１】本発明に係るシリアルバス・テスタの使用状況を説明する構成ブロック図である。
【図２】ＧＵＩＤの構造を示す説明図である。
【図３】テスタの詳細を示す構成ブロック図である。
【図４】制御手段の動作を説明するフロー図である。
【図５】従来のシリアルバス・テスタの使用状況を説明する構成ブロック図である。
【図６】テスタの動作を説明するフロー図である。
【図７】テスタの動作を説明するフロー図である。
【図８】バスアナライザを１３９４シリアルバスに接続した一例を示す構成ブロック図である。
【符号の説明】
１，５０  シリアルバス・テスタ
２  検査対象機器
３  基準機器
４  バスアナライザ
５  機器
６  読出手段
７  制御手段
８  送信手段
【図１】
0003685310.tif 000002
【図２】
0003685310.tif 000003
【図３】
0003685310.tif 000004
【図４】
0003685310.tif 000005
【図５】
0003685310.tif 000006
【図６】
0003685310.tif 000007
【図７】
0003685310.tif 000008
【図８】
0003685310.tif 000009